(57)【要約】  移動端末に無線基地局を通して接続する無線基地制御局（１）は、無線基地局配下のセルを移動端末に割り当てるセル選択アルゴリズムにおいて選択したセルに対して無線接続に失敗した場合に当該セルの情報を一定期間保持する保持手段（システム単位のＵＥチェックリスト１５）と、その保持したセルの情報を基に過去に無線接続に一度失敗したセルを除外してセル選択アルゴリズムを実施する実施手段（セル選択処理部１１）とを有する。
2009063675.tif 000002
【特許請求の範囲】
【請求項１】
移動端末に無線基地局を通して接続する無線基地制御局であって、
前記無線基地局配下のセルを前記移動端末に割り当てるセル選択アルゴリズムにおいて選択したセルに対して無線接続に失敗した場合に当該セルの情報を一定期間保持する保持手段と、
その保持した前記セルの情報を基に過去に無線接続に一度失敗したセルを除外して前記セル選択アルゴリズムを実施する実施手段とを有することを特徴とする無線基地制御局。
【請求項２】
前記保持手段は、前記セル選択アルゴリズムを実施する際に前記移動端末がキャンプオンしたセルと異なるセルを割り当てる場合、前記移動端末からの応答がなかったセルの情報を一定期間保持し、
前記実施手段は、次のセル選択アルゴリズムより当該セルを前記移動端末の隣接セル候補から除外して当該セル選択アルゴリズムを実施することを特徴とする請求項１記載の無線基地制御局。
【請求項３】
前記保持手段は、前記無線接続が失敗したセルと前記移動端末からの接続要求のタイムスタンプとをシステム単位で保持することを特徴とする請求項１または請求項２記載の無線基地制御局。
【請求項４】
前記保持手段は、前記無線接続が失敗したセルと前記移動端末からの接続要求のタイムスタンプとを前記移動端末毎に保持することを特徴とする請求項１または請求項２記載の無線基地制御局。
【請求項５】
前記実施手段は、過去に一度無線接続に失敗したセルを当該セルの前記タイムスタンプから一定期間、前記移動端末の隣接セル候補から除外して前記セル選択アルゴリズムを実施することを特徴とする請求項３または請求項４記載の無線基地制御局。
【請求項６】
請求項１から請求項５のいずれかに記載の無線基地制御局を含むことを特徴とする移動体通信システム。
【請求項７】
移動端末に無線基地局を通して接続する無線基地制御局に用いる呼接続完了低下回避方法であって、
前記無線基地局配下のセルを前記移動端末に割り当てるセル選択アルゴリズムにおいて選択したセルに対して無線接続に失敗した場合に当該セルの情報を保持手段に一定期間保持する第１の処理と、
その保持した前記セルの情報を基に過去に無線接続に一度失敗したセルを除外して前記セル選択アルゴリズムを実施手段にて実施する第２の処理とを有することを特徴とする呼接続完了低下回避方法。
【請求項８】
前記第１の処理において、前記保持手段に、前記セル選択アルゴリズムを実施する際に前記移動端末がキャンプオンしたセルと異なるセルを割り当てる場合、前記移動端末からの応答がなかったセルの情報を一定期間保持し、
前記第２の処理において、前記実施手段に、次のセル選択アルゴリズムより当該セルを前記移動端末の隣接セル候補から除外して当該セル選択アルゴリズムを実施させることを特徴とする請求項７記載の呼接続完了低下回避方法。
【請求項９】
前記第１の処理において、前記保持手段に、前記無線接続が失敗したセルと前記移動端末からの接続要求のタイムスタンプとをシステム単位で保持することを特徴とする請求項７または請求項８記載の呼接続完了低下回避方法。
【請求項１０】
前記第１の処理において、前記保持手段に、前記無線接続が失敗したセルと前記移動端末からの接続要求のタイムスタンプとを前記移動端末毎に保持することを特徴とする請求項７または請求項８記載の呼接続完了低下回避方法。
【請求項１１】
前記第２の処理において、前記実施手段に、過去に一度無線接続に失敗したセルを当該セルの前記タイムスタンプから一定期間、前記移動端末の隣接セル候補から除外して前記セル選択アルゴリズムを実施させることを特徴とする請求項９または請求項１０記載の呼接続完了低下回避方法。
【発明の詳細な説明】
【技術分野】
【０００１】
本発明は、無線基地制御局、移動体通信システムおよびそれらに用いる呼接続完了低下回避方法に関し、特にセル選択アルゴリズムにおける呼接続完了低下の回避方法に関する。
【背景技術】
【０００２】
本発明に関連するＲＮＣ（Radio  Network  Controller：無線基地制御局）においては、図１に示すように、第３世代移動通信システムであるＩＭＴ（International  Mobile  Telecommunications）２０００システムにおいて、複数の基地局（Ｎｏｄｅ  Ｂ）２，３を制御し、１つの基地局配下の複数のセル情報を管理している。【０００３】
ＲＮＣ１は、ＵＥ（User  Equipment：移動端末）との無線接続を行う際、ＵＥ能力、ＵＥが求めるサービス、ＵＥにサービスの提供可能なセル、ハイスピードサービス提供状況、各セルのＵＥ数やＵＥが実施するサービス負荷より計算されるセル負荷、基地局２，３における電力輻輳状態（Congestion  State）などの様々なパラメータを考慮してセル選択アルゴリズムにてセルを選択する。そして、選択されたセルに新規呼のＵＥが受け付けられるかどうかを確認して割り当てている。【０００４】
上記のＲＮＣ１においては、以下のようなセル選択アルゴリズムにて動作している。このセル選択アルゴリズムについて図１を参照して説明する。【０００５】
例えば、特開２００６−２２９３８４号公報に開示されているように、図１において、ＲＮＣ１は、同一アンテナにおいて周波数の異なるＥ−ＤＣＨ［Enhanced  uplink  DCH（Dedicated  Channel）］／ＨＳ−ＤＳＣＨ（High  Speed  Downlink  Shared  Channel）サービス提供不可セルと、ＨＳ−ＤＳＣＨセルと、Ｅ−ＤＣＨ／ＨＳ−ＤＳＣＨセルとを混在し、同一エリアにＥ−ＤＣＨ／ＨＳ−ＤＳＣＨサービス実施不可ＵＥ４と、ＨＳ−ＤＳＣＨ  Ｃａｐａｂｌｅ  ＵＥ５と、Ｅ−ＤＣＨ／ＨＳ−ＤＳＣＨ  Ｃａｐａｂｌｅ  ＵＥ６とが混在している環境において、下記の契機においてＬｏａｄ  Ｃｏｎｔｒｏｌを実施して対象セルを選択している。【０００６】
すなわち、この契機は、
１．最初の無線接続要求［ＲＲＣ（Radio  Resource  Control）  Ｃｏｎｎｅｃｔｉｏｎ  Ｒｅｑｕｅｓｔ］メッセージ受信時
２．パケットサービスを共通チャネルで接続中に、ＵＥからのトラフィック増加報告受信もしくはＲＮＣ内部の転送バッファ増加検出による、共通チャネルから個別チャネルへのチャネルタイプ変更［ＣＴＳ  ＦＡＣＨ（Forward  Access  Channel）  ｔｏ  ＤＣＨ］時である。【０００７】
ＲＮＣ１が上記のセル選択アルゴリズムを実施する際、ＲＮＣ１は、実際の無線環境まではわからない。そのため、ＵＥがキャンプオンしたセルと異なるセルを割り当てる場合、新しいセルで無線接続を確立したというＵＥからの応答がなく、呼接続完了率が低下してしまう。【０００８】
それは、特にハイスピードデータサービスを可能とするセルではハイスピードデータサービスを実施するＵＥ数が非常に多いケースや隣接セルからの干渉の度合い等によって、図２に示すように、時間的にセルサイズが大きくなったり、小さくなったりするセルブリージング現象が発生するためである。【０００９】
例えば、ハイスピードデータサービスを求めるＵＥがハイスピードデータサービス提供不可セルにキャンプオンしていて、無線接続要求（RRC  Connection  Request）メッセージを送信する時、図２に示すようなセルブリージング現象が発生してセルサイズが小さいハイスピードデータ提供セルをＲＮＣ１がセル選択アルゴリズムによって選択してしまう場合がある。【００１０】
その場合、ＲＮＣ１は、図２に示すようなセルブリージング現象が発生していてセルが小さくなっていても、そのセルを選択して無線接続設定（RRC  Connection  Setup）メッセージを送信してしまい、ＵＥからの無線接続応答（RRC  Connection  Setup  Complete）を受信することができない。【００１１】
そして、ＵＥが無線接続要求（ＲＲＣ  Ｃｏｎｎｅｃｔｉｏｎ  Ｒｅｑｕｅｓｔ）メッセージを再送してきた場合においても、同じセル選択アルゴリズムにおいて、同じセルを選択してしまうことで、上記と同様に、無線接続に失敗し、いつまでも無線接続が完了せず、呼接続完了率が著しく低下してしまう。【００１２】
この場合、ハイスピードデータ提供セルからＵＥの応答がなく、例えＵＥが無線接続要求（ＲＲＣ  Ｃｏｎｎｅｃｔｉｏｎ  Ｒｅｑｕｅｓｔ）メッセージを再送してきても、ＲＮＣ１，１ａは、同様にセルブリージング現象が発生している同じセルを選択してしまう。そのため、この場合には、呼接続完了率が著しく低下してしまう。【００１３】
上述したような本発明に関連するセル選択アルゴリズムでは、接続ＵＥ数や隣接セル干渉によって発生するセルブリージング現象によって、セル選択アルゴリズムにおいて選択したセルサイズが一時的に小さくなっている場合、無線接続に一度失敗するが、その無線接続に失敗したセルがあるという直前情報を、記憶や利用をしていないという問題がある。【００１４】
また、本発明に関連するセル選択アルゴリズムでは、ＵＥからのＲＲＣ  Ｃｏｎｎｅｃｔｉｏｎ  Ｒｅｑｕｅｓｔ再送や、ＵＥからのトラフィック増加報告周期受信もしくはＲＮＣ内部の転送バッファ増加周期検出においても、同様のセル選択アルゴリズムによって同じセルが選択されてしまうことによって、上記と同様に、無線接続に失敗し、呼接続完了率が低下してしまうという問題がある。
【発明の開示】
【００１５】
そこで、本発明の目的は上記の問題点を解消し、既存のセル選択アルゴリズムの利点を生かしつつ、呼接続完了率の低下を回避することができる無線基地制御局、移動体通信システム及びそれらに用いる呼接続完了低下回避方法を提供することにある。
【００１６】
本発明による無線基地制御局は、移動端末に無線基地局を通して接続する無線基地制御局であって、前記無線基地局配下のセルを前記移動端末に割り当てるセル選択アルゴリズムにおいて選択したセルに対して無線接続に失敗した場合に当該セルの情報を一定期間保持する保持手段と、その保持した前記セルの情報を基に過去に無線接続に一度失敗したセルを除外して前記セル選択アルゴリズムを実施する実施手段とを備えている。
【００１７】
本発明による移動体通信システムは、上記の無線基地制御局を含むことを特徴とする。
【００１８】
本発明による呼接続完了低下回避方法は、移動端末に無線基地局を通して接続する無線基地制御局に用いる呼接続完了低下回避方法であって、前記無線基地局配下のセルを前記移動端末に割り当てるセル選択アルゴリズムにおいて選択したセルに対して無線接続に失敗した場合に当該セルの情報を保持手段に一定期間保持する第１の処理と、その保持した前記セルの情報を基に過去に無線接続に一度失敗したセルを除外して前記セル選択アルゴリズムを実施手段にて実施する第２の処理とを備えている。
【００１９】
本発明は、上記のような構成及び動作とすることで、既存のセル選択アルゴリズムの利点を生かしつつ、呼接続完了率の低下を回避することができるという効果が得られる。
【図面の簡単な説明】
【００２０】
【図１】本発明の実施形態１による移動体通信システムの構成を示すブロック図である。
【図２】セルブリージング現象を示す図である。
【図３】本発明の実施形態１によるＲＮＣの構成例を示すブロック図である。
【図４】図３に示すシステム単位のＵＥチェックリストの詳細な構成を示す図である。
【図５】図３に示すＵＥチェックリストのためのシステムデータの詳細な構成を示す図である。
【図６】本発明の実施形態１によるＲＲＣ  Ｃｏｎｎｅｃｔｉｏｎ  Ｒｅｑｕｅｓｔ時のＵＥチェックリストの登録処理を示すフローチャートである。
【図７】本発明の実施形態１によるＲＲＣ  Ｃｏｎｎｅｃｔｉｏｎ  Ｒｅｑｕｅｓｔ時のＵＥチェックリストの登録処理を示すフローチャートである。
【図８】本発明の実施形態１によるＲＲＣ  Ｃｏｎｎｅｃｔｉｏｎ  Ｒｅｑｕｅｓｔ時のＵＥチェックリストを利用したセル選択アルゴリズムを示すフローチャートである。
【図９】本発明の実施形態２によるＵＥチェックリスト＃２の詳細な構成を示す図である。
【図１０】本発明の実施形態２によるＲＲＣ  Ｃｏｎｎｅｃｔｉｏｎ  Ｒｅｑｕｅｓｔ時のＵＥチェックリストの登録処理を示すフローチャートである。
【図１１】本発明の実施形態２によるＲＲＣ  Ｃｏｎｎｅｃｔｉｏｎ  Ｒｅｑｕｅｓｔ時のＵＥチェックリストの登録処理を示すフローチャートである。
【図１２】本発明の実施形態２によるＲＲＣ  Ｃｏｎｎｅｃｔｉｏｎ  Ｒｅｑｕｅｓｔ時のＵＥチェックリストを利用したセル選択アルゴリズムを示すフローチャートである。
【図１３】本発明の実施形態３によるＲＮＣの構成例を示すブロック図である。
【図１４】図１３に示すＵＥ単位のＵＥチェックリストの詳細な構成を示す図である。
【図１５】本発明の実施形態３によるＣＴＳ時のＵＥチェックリストの登録処理を示すフローチャートである。
【図１６】本発明の実施形態３によるＣＴＳ時のＵＥチェックリストを利用したセル選択アルゴリズムを示すフローチャートである。
【発明を実施するための最良の形態】
【００２１】
次に、本発明の実施形態について図面を参照して説明する。図３は本発明の実施形態１によるＲＮＣ（Ｒａｄｉｏ  Ｎｅｔｗｏｒｋ  Ｃｏｎｔｒｏｌｌｅｒ：無線基地制御局）の構成例を示すブロック図である。【００２２】
図３において、ＲＮＣ１は、セル選択処理部１１と、ＵＥ（Ｕｓｅｒ  Ｅｑｕｉｐｍｅｎｔ：移動端末）情報処理部１２とを備え、セル情報１３と、ＵＥ情報１４と、システム単位のＵＥチェックリスト１５と、ＵＥチェックリストのためのシステムデータ１６とを保持している。【００２３】
セル選択処理部１１は、ＵＥ情報処理部１２より取得する情報と、セル情報１３と、ＵＥ情報１４と、システム単位のＵＥチェックリスト１５と、ＵＥチェックリストのためのシステムデータ１６とを基にセル選択アルゴリズムを行う。【００２４】
図１は本発明の実施形態１による移動体通信システムの構成を示すブロック図である。図１において、本発明の実施形態１による移動体通信システムは、ＲＮＣ１と、基地局２，３と、Ｅ−ＤＣＨ［Ｅｎｈａｎｃｅｄ  ｕｐｌｉｎｋ  ＤＣＨ（Ｄｅｄｉｃａｔｅｄ  Ｃｈａｎｎｅｌ）］／ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）サービス実施不可ＵＥ４と、ＨＳ−ＤＳＣＨ可能（ＨＳ−ＤＳＣＨ  Ｃａｐａｂｌｅ）ＵＥ５と、Ｅ−ＤＣＨ／ＨＳ−ＤＳＣＨ可能（Ｅ−ＤＣＨ／ＨＳ−ＤＳＣＨ  Ｃａｐａｂｌｅ）ＵＥ６とから構成されている。【００２５】
ＲＮＣ１は、同一アンテナにおいて周波数の異なるＥ−ＤＣＨ／ＨＳ−ＤＳＣＨサービス提供不可セルと、ＨＳ−ＤＳＣＨセルと、Ｅ−ＤＣＨ／ＨＳ−ＤＳＣＨセルとを混在し、同一エリアに混在するＥ−ＤＣＨ／ＨＳ−ＤＳＣＨサービス実施不可ＵＥ４とＨＳ−ＤＳＣＨ可能ＵＥ５とＥ−ＤＣＨ／ＨＳ−ＤＳＣＨ可能ＵＥ６とに対し、それぞれのＵＥの能力に応じたチャネルを割り当て、周波数利用効率のよいパケットサービスを提供することを可能としている。【００２６】
図４は図３に示すシステム単位のＵＥチェックリスト１５の詳細な構成を示す図である。図４において、システム単位のＵＥチェックリスト１５には、各ＵＥが一度無線接続に失敗したセルのリストと、そのＵＥの接続要求時のタイムスタンプとが保持される。【００２７】
図４に示す例では、ＵＥ＃１には、Ｔｉｍｅ：００１３０においてセルＩＤ＃８が一度無線接続に失敗したセルとして登録されており、ＵＥ＃２には、Ｔｉｍｅ：００１４５においてセルＩＤ＃１０とセルＩＤ＃１１とが一度無線接続に失敗したセルとして登録されている。【００２８】
図５は図３に示すＵＥチェックリストのためのシステムデータ１６の詳細な構成を示す図である。図５において、ＵＥチェックリストのためのシステムデータ１６には、一度無線接続に失敗したセルのリストが登録可能なＵＥ数と、ＵＥチェックリストに保持された情報の有効時間と、登録されるセル数とが保持されている。【００２９】
図５に示す例では、ＵＥチェックリストの登録可能ＵＥ数は５０個であり、ＵＥチェックリストに保持された情報の有効時間は３分である。特に、このＵＥチェックリストの登録可能ＵＥ数や、登録されるセル数はＲＮＣ１のメモリ利用率に影響し、特にＵＥチェックリストの登録可能ＵＥ数が０の場合、本機能は無効化されることを意味する。【００３０】
以上、本実施形態の構成について述べたが、セル情報１３、ＵＥ情報の管理、ＵＥ情報処理部１２、セル選択処理部１１の構成自体は、当業者にとってよく知られており、また本発明には直接関係しないので、その説明を省略する。【００３１】
特に、セル選択処理部１１で行われるセル選択アルゴリズムについては、ＵＥチェックリスト１５、ＵＥチェックリストのためのシステムデータ１６を使用することを除いては、本願出願人が提案しているＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）２０００システムにおけるＵＥ種別に応じたセル選択アルゴリズムでもよく、またセル負荷情報のみからＵＥにセルを選択するＬｏａｄ  Ｃｏｎｔｒｏｌアルゴリズム、例えばセル負荷が最も低いセルを選択するセル選択アルゴリズムでもよい。これらは当業者にとってよく知られており、本発明には直接関係しないので、その説明を省略する。【００３２】
図６及び図７は本発明の実施形態１によるＲＲＣ  Ｃｏｎｎｅｃｔｉｏｎ  Ｒｅｑｕｅｓｔ時のＵＥチェックリストの登録処理を示すフローチャートである。これら図１〜図７を参照して本発明の実施形態１によるＲＲＣ  Ｃｏｎｎｅｃｔｉｏｎ  Ｒｅｑｕｅｓｔ時のＵＥチェックリストの登録処理について説明する。【００３３】
尚、図６及び図７は、図４に示すＵＥチェックリスト１５において、ＲＲＣ  Ｃｏｎｎｅｃｔｉｏｎ  Ｒｅｑｕｅｓｔメッセージ受信時のセル選択アルゴリズムの後、無線接続失敗してＵＥチェックリスト１５にそのＵＥが登録される時の動作を示している。【００３４】
ＲＮＣ１は、図６のステップ１０１にて、ＵＥからＲＲＣ  Ｃｏｎｎｅｃｔｉｏｎ  Ｒｅｑｕｅｓｔメッセージを受信すると、ステップ１０２にて、セル情報１３、ＵＥ情報の管理、ＵＥ情報処理部１２により得られる情報を利用し、セル選択処理部１１において、セル選択アルゴリズムを行う。【００３５】
ステップ１０３にて、まず、ＲＮＣ１は、内部変数"Ｎｕｍｂｅｒ  ｏｆ  ＲＲＣ  Ｃｏｎｎｅｃｔｉｏｎ  Ｓｅｔｕｐ"を０に初期化する。次に、ステップ１０４にて、ＲＮＣ１は、選択されたセルに対してＲＲＣ  Ｃｏｎｎｅｃｔｉｏｎ  Ｓｅｔｕｐメッセージを送信し、ＲＲＣ  Ｃｏｎｎｅｃｔｉｏｎ  Ｓｅｔｕｐ  Ｃｏｍｐｌｅｔｅ待ちタイマ（Ｔｉｍｅｒ）を開始する。【００３６】
ステップ１０５にて、ＲＮＣ１は、ＲＲＣ  Ｃｏｎｎｅｃｔｉｏｎ  Ｓｅｔｕｐ  Ｃｏｍｐｌｅｔｅを受信したかを判定し、ＲＲＣ  Ｃｏｎｎｅｃｔｉｏｎ  Ｓｅｔｕｐ  Ｃｏｍｐｌｅｔｅを受信した場合、ステップ１０６にて、既存処理の通り、無線接続完了となる。【００３７】
また、ＲＮＣ１は、ＲＲＣ  Ｃｏｎｎｅｃｔｉｏｎ  Ｓｅｔｕｐ  Ｃｏｍｐｌｅｔｅを受信せず、ＲＲＣ  Ｃｏｎｎｅｃｔｉｏｎ  Ｓｅｔｕｐ  Ｃｏｍｐｌｅｔｅ待ちタイマが満了した場合、ステップ１０７にて、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えているかを判定する。【００３８】
ＲＮＣ１は、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えていない場合、ステップ１０８にて、内部変数"Ｎｕｍｂｅｒ  ｏｆ  ＲＲＣ  Ｃｏｎｎｅｃｔｉｏｎ  Ｓｅｔｕｐ"を１追加して、ステップ１０４の処理へ戻る。【００３９】
ＲＮＣ１は、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えていれば、無線接続失敗とし、ステップ１０９にて、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じかどうかを判定する。【００４０】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じ場合、ＵＥチェックリスト１５への登録を行わないで、処理を終了する。【００４１】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと異なる場合、ステップ１１０にて、ＵＥチェックリスト１５において、同じＵＥが登録されているかどうかを判定する。【００４２】
ＲＮＣ１は、ＵＥチェックリスト１５に同じＵＥが登録されていれば、ステップ１１１にて、ＵＥチェックリスト１５のタイムスタンプがＵＥチェックリスト１５に保持された情報の有効時間を越えていないかどうかを判定する。【００４３】
ＲＮＣ１は、ＵＥチェックリスト１５のタイムスタンプがＵＥチェックリスト１５に保持された情報の有効時間を越えていない場合、ステップ１１２にて、無線接続失敗したセルのみを追加する。この場合、タイムスタンプは更新しない。尚、既に同セルが登録されている場合には、特に何もしない。セル数がいっぱいの場合には、ラウンドロビンで上書きする。つまり、古い情報と考えられる最初にエントリされたセルが上書きされる。【００４４】
ＲＮＣ１は、ＵＥチェックリスト１５のタイムスタンプがＵＥチェックリスト１５に保持された情報の有効時間を越えている場合、ステップ１１３にて、同じＵＥの古いデータ（無線接続失敗セルとタイムスタンプ）を削除し、新しいデータ（無線接続失敗セルとタイムスタンプ）を登録する。【００４５】
一方、ＲＮＣ１は、ＵＥチェックリスト１５に同じＵＥが登録されていなければ、図７のステップ１１４にて、ＵＥチェックリスト１５が全て埋まっている（Ｆｕｌｌ）かを判定する。【００４６】
ＲＮＣ１は、ＵＥチェックリスト１５が全て埋まっている場合、ステップ１１５にて、最も古いデータ（無線接続失敗セルとタイムスタンプ）を削除し、そのＵＥの新しいデータ（無線接続失敗セルとタイムスタンプ）を登録する。また、ＲＮＣ１は、ＵＥチェックリスト１５が全て埋まっていない場合、ステップ１１６にて、そのＵＥのデータ（無線接続失敗セルとタイムスタンプ）を登録する。【００４７】
このようにして、本実施の形態では、一つのＵＥにおいて複数の無線接続失敗セルを持つ場合のリスト管理方法、各ＵＥの無線接続失敗セルの有効時間、非常に多くのＵＥが無線接続失敗した場合の有効データの保持方法が実現される。【００４８】
尚、内部変数"Ｎｕｍｂｅｒ  ｏｆ  ＲＲＣ  Ｃｏｎｎｅｃｔｉｏｎ  Ｓｅｔｕｐ"、ＲＲＣ  Ｃｏｎｎｅｃｔｉｏｎ  Ｓｅｔｕｐ  Ｃｏｍｐｌｅｔｅ待ちタイマ、システムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"の詳細については、同業者により既知の内容であり、本発明とは直接関係ないので、その説明については省略する。【００４９】
図８は本発明の実施形態１によるＲＲＣ  Ｃｏｎｎｅｃｔｉｏｎ  Ｒｅｑｕｅｓｔ時のＵＥチェックリストを利用したセル選択アルゴリズムを示すフローチャートである。これら図１、図３〜６および図８とを参照して本発明の実施形態１によるＲＲＣ  Ｃｏｎｎｅｃｔｉｏｎ  Ｒｅｑｕｅｓｔ時のＵＥチェックリストを利用したセル選択アルゴリズムについて説明する。【００５０】
尚、図８には、ＵＥチェックリスト１５が使用される仕組みとして、ＲＲＣ  Ｃｏｎｎｅｃｔｉｏｎ  Ｒｅｑｕｅｓｔメッセージ受信時のセル選択アルゴリズムにおいて、過去に一度無線接続に失敗したセルをそのタイムスタンプから一定期間、ＲＮＣ１がＵＥの隣接セル候補から除外してセル選択アルゴリズムが行われる動作について示している。【００５１】
図８のステップ１２１にて、ＲＮＣ１は、ＵＥからＲＲＣ  Ｃｏｎｎｅｃｔｉｏｎ  Ｒｅｑｕｅｓｔメッセージを受信すると、ステップ１２２にて、セル情報１３、ＵＥ情報の管理、ＵＥ情報処理部１２により得られる情報を利用し、セル選択処理部１１において、セル選択アルゴリズムを行う。【００５２】
ステップ１２３にて、まず、ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じかを判定する。ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じ場合、ステップ１２８の通常のＲＲＣ  Ｃｏｎｎｅｃｔｉｏｎ  Ｓｅｔｕｐ手順（Ｐｒｏｃｅｓｓ）へ進む。【００５３】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと異なる場合、ステップ１２４にて、ＵＥチェックリスト１５において、同じＵＥが登録されていないかを判定する。ＲＮＣ１は、同じＵＥが登録されていない場合、ステップ１２８の通常のＲＲＣ  Ｃｏｎｎｅｃｔｉｏｎ  Ｓｅｔｕｐ手順へ進む。【００５４】
ＲＮＣ１は、同じＵＥが登録されている場合、ステップ１２５にて、ＵＥチェックリスト１５のタイムスタンプが、ＵＥチェックリスト１５に保持された情報の有効時間を越えているかを判定する。ＲＮＣ１は、有効時間を越えている場合、ステップ１２８の通常のＲＲＣ  Ｃｏｎｎｅｃｔｉｏｎ  Ｓｅｔｕｐ手順へ進む。【００５５】
ＲＮＣ１は、有効時間を超えていない場合、ステップ１２６にて、セル選択アルゴリズムにおいて選択されたセルが、ＵＥチェックリスト１５の無線接続失敗したセルと異なるかを判定する。ＲＮＣ１は、セル選択アルゴリズムにおいて選択されたセルが、ＵＥチェックリスト１５の無線接続失敗したセルと異なる場合、ステップ１２８の通常のＲＲＣ  Ｃｏｎｎｅｃｔｉｏｎ  Ｓｅｔｕｐ手順へ進む。【００５６】
ＲＮＣ１は、セル選択アルゴリズムにおいて選択されたセルが、ＵＥチェックリスト１５の無線接続失敗したセルと同じ場合、そのセルがＲＮＣ１のセル選択アルゴリズムの結果としてはふさわしくないと判断し、ステップ１２７にて、そのセルをそのＵＥの近隣セル候補より除外し、ステップ１２２の処理へ移動する。【００５７】
このようにして、本実施形態では、ＲＮＣ１のセル選択アルゴリズムにおいて、過去に一度無線接続に失敗したセルをそのタイムスタンプから一定期間、ＲＮＣ１がＵＥの隣接セル候補から除外してセル選択アルゴリズムが行われる方法が実現される。【００５８】
このように、本実施形態では、ＲＲＣ  Ｃｏｎｎｅｃｔｉｏｎ  Ｒｅｑｕｅｓｔ受信時のセル選択アルゴリズムにおいて、過去に一度無線接続に失敗したセルを、ＲＮＣ１がＵＥの隣接セル候補から除外してセルを選択しているので、ＵＥが次にＲＲＣ  Ｃｏｎｎｅｃｔｉｏｎ  Ｒｅｑｕｅｓｔを再送する場合に、無線接続可能なセルを選択することができ、既存のセル選択アルゴリズムの利点を生かしつつ、呼接続完了率が著しく低下するのを回避することができる。【００５９】
また、本実施形態では、過去に一度無線接続に失敗したセルのタイムスタンプをＵＥ毎に保持しているので、過去の古い情報による無線接続失敗したセルを除外することはないので、既存のセル選択アルゴリズムの利点を生かすことができる。【００６０】
さらに、本実施形態では、無線接続に失敗した場合だけ、ＵＥチェックリスト１５の登録を行うことで、ＵＥチェックリスト１５の登録回数を限られたケースに限定しているので、常にＵＥチェックリストへ登録されているかどうか確認する方法に比べて、システムに与える影響を最小限にすることができる。【００６１】
さらにまた、本実施形態では、セル選択アルゴリズムによって選択されたセルが、ＵＥがＲＲＣ  Ｃｏｎｎｅｃｔｉｏｎ  Ｒｅｑｕｅｓｔメッセージを送信してきたセルと異なる場合だけ、ＵＥチェックリスト１５との比較を行うことで、ＵＥチェックリスト１５の検索回数を限られたケースに限定しているので、常にＵＥチェックリストへ登録されているかどうか確認する方法に比べて、システムに与える影響を最小限にすることができる。【００６２】
そのほかに、本実施形態では、過去に一度無線接続に失敗したセルのタイムスタンプを保持することで、ＲＲＣ  Ｃｏｎｎｅｃｔｉｏｎ  Ｓｅｔｕｐ  Ｃｏｍｐｌｅｔｅ受信して問題なく、呼接続完了となった場合でも、ＵＥチェックリスト１５から該当ＵＥをわざわざ削除をする必要がないので、システムに与える影響を最小限にすることができる。【００６３】
図９は本発明の実施形態２によるＵＥチェックリスト＃２の詳細な構成を示す図である。尚、本発明の実施形態２によるＲＮＣ、移動体通信システムそれぞれの構成は上述した本発明の実施形態１と同様であるが、ＵＥチェックリスト＃２の詳細な構成についてさらに工夫している。【００６４】
図９において、ＵＥチェックリスト＃２には、各ＵＥが一度無線接続に失敗したセルのリストと、そのＵＥが各セルにおいて接続要求した時のタイムスタンプとがセル毎に保持されている。【００６５】
図９に示す例では、ＵＥ＃１には、Ｔｉｍｅ：００１３０においてセルＩＤ＃８が一度無線接続に失敗したセルとして登録されており、ＵＥ＃２には、Ｔｉｍｅ：００１４５においてセルＩＤ＃１０が、Ｔｉｍｅ：００１５０においてセルＩＤ＃１１がそれぞれ一度無線接続に失敗したセルとして登録されている。【００６６】
図１０及び図１１は本発明の実施形態２によるＲＲＣ  Ｃｏｎｎｅｃｔｉｏｎ  Ｒｅｑｕｅｓｔ時のＵＥチェックリストの登録処理を示すフローチャートである。これら図１、図３、図５および図９〜１１とを参照して本発明の実施形態２によるＲＲＣ  Ｃｏｎｎｅｃｔｉｏｎ  Ｒｅｑｕｅｓｔ時のＵＥチェックリストの登録処理について説明する。【００６７】
尚、図１０及び図１１は、図９に示すＵＥチェックリスト＃２において、ＲＲＣ  Ｃｏｎｎｅｃｔｉｏｎ  Ｒｅｑｕｅｓｔメッセージ受信時のセル選択アルゴリズムの後、無線接続失敗してＵＥチェックリストにそのＵＥが登録される時の動作を示している。【００６８】
図１０のステップ１３１にて、ＲＮＣ１は、ＵＥからＲＲＣ  Ｃｏｎｎｅｃｔｉｏｎ  Ｒｅｑｕｅｓｔメッセージを受信すると、ステップ１３２にて、セル情報１３、ＵＥ情報の管理、ＵＥ情報処理部１２により得られる情報を利用し、セル選択処理部１１において、セル選択アルゴリズムを行う。【００６９】
ステップ１３３にて、まず、ＲＮＣ１は、内部変数"Ｎｕｍｂｅｒ  ｏｆ  ＲＲＣ  Ｃｏｎｎｅｃｔｉｏｎ  Ｓｅｔｕｐ"を０に初期化する。次に、ステップ１３４にて、ＲＮＣ１は、選択されたセルに対してＲＲＣ  Ｃｏｎｎｅｃｔｉｏｎ  Ｓｅｔｕｐメッセージを送信し、ＲＲＣ  Ｃｏｎｎｅｃｔｉｏｎ  Ｓｅｔｕｐ  Ｃｏｍｐｌｅｔｅ待ちタイマを開始する。【００７０】
ステップ１３５にて、ＲＮＣ１は、ＲＲＣ  Ｃｏｎｎｅｃｔｉｏｎ  Ｓｅｔｕｐ  Ｃｏｍｐｌｅｔｅを受信したかを判定し、ＲＲＣ  Ｃｏｎｎｅｃｔｉｏｎ  Ｓｅｔｕｐ  Ｃｏｍｐｌｅｔｅを受信した場合、ステップ１３６にて、既存処理の通り、無線接続完了となる。【００７１】
また、ＲＮＣ１は、ＲＲＣ  Ｃｏｎｎｅｃｔｉｏｎ  Ｓｅｔｕｐ  Ｃｏｍｐｌｅｔｅを受信せず、ＲＲＣ  Ｃｏｎｎｅｃｔｉｏｎ  Ｓｅｔｕｐ  Ｃｏｍｐｌｅｔｅ待ちタイマが満了した場合、ステップ１３７にて、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えているかを判定する。【００７２】
ＲＮＣ１は、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えていない場合、ステップ１３８にて、内部変数"Ｎｕｍｂｅｒ  ｏｆ  ＲＲＣ  Ｃｏｎｎｅｃｔｉｏｎ  Ｓｅｔｕｐ"を１追加して、ステップ１３４の処理へ戻る。【００７３】
ＲＮＣ１は、内部変数"Ｎｕｍｂｅｒ  ｏｆ  ＲＲＣ  Ｃｏｎｎｅｃｔｉｏｎ  Ｓｅｔｕｐ"がシステムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"を超えていれば、無線接続失敗とし、ステップ１３９にて、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じかどうかを判定する。【００７４】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じ場合、ＵＥチェックリスト＃２への登録を行わないで、処理を終了する。【００７５】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと異なる場合、ステップ１４０にて、ＵＥチェックリスト＃２において、同じＵＥが登録されているかどうかを判定する。【００７６】
ＲＮＣ１は、ＵＥチェックリスト＃２に同じＵＥが登録されていれば、ステップ１４１にて、ＵＥチェックリスト＃２において既に無線接続失敗したセルが登録されているかどうかを判定する。【００７７】
ＲＮＣ１は、ＵＥチェックリスト＃２に既に無線接続失敗したセルが登録されていない場合、ステップ１４２にて、無線接続失敗したセルのタイムスタンプのみを追加する。【００７８】
ＲＮＣ１は、ＵＥチェックリスト＃２に既に無線接続失敗したセルが登録されている場合、ステップ１４３にて、ＵＥチェックリストにおいて無線接続失敗したセルが全て埋まっているかどうかを判定する。【００７９】
ＲＮＣ１は、ＵＥチェックリストにおいて無線接続失敗したセルが全て埋まっている場合、ステップ１４４にて、そのＵＥの最も古いデータ（無線接続失敗セルとタイムスタンプ）を削除し、そのＵＥの新しいデータ（無線接続失敗セルとそのセルのタイムスタンプ）を登録する。【００８０】
ＲＮＣ１は、ＵＥチェックリストにおいて無線接続失敗したセルが全て埋まっていない場合、ステップ１４５にて、そのＵＥのデータ（無線接続失敗セルとタイムスタンプ）を登録する。【００８１】
一方、ＲＮＣ１は、ＵＥチェックリスト＃２に同じＵＥが登録されていなければ、図１１のステップ１４６にて、ＵＥチェックリスト＃２が全て埋まっている（Ｆｕｌｌ）かを判定する。【００８２】
ＲＮＣ１は、ＵＥチェックリスト＃２が全て埋まっている場合、ステップ１４７にて、最も古いデータ（無線接続失敗セルとタイムスタンプ）を削除し、そのＵＥの新しいデータ（無線接続失敗セルとそのセルのタイムスタンプ）を登録する。また、ＲＮＣ１は、ＵＥチェックリスト＃２が全て埋まっていない場合、ステップ１４８にて、そのＵＥのデータ（無線接続失敗セルとタイムスタンプ）を登録する。【００８３】
このようにして、本実施形態では、一つのＵＥにおいて複数の無線接続失敗セルを持つ場合のリスト管理方法、各ＵＥの無線接続失敗セルのセル毎の有効時間とその更新方法、非常に多くのセルに無線接続失敗した場合の有効データの保持方法、非常に多くのＵＥが無線接続失敗した場合の有効データの保持方法が実現される。【００８４】
尚、内部変数"Ｎｕｍｂｅｒ  ｏｆ  ＲＲＣ  Ｃｏｎｎｅｃｔｉｏｎ  Ｓｅｔｕｐ"、ＲＲＣ  Ｃｏｎｎｅｃｔｉｏｎ  Ｓｅｔｕｐ  Ｃｏｍｐｌｅｔｅ待ちタイマ、システムデータ"Ｍａｘｉｍｕｍ  Ｎｕｍｂｅｒ  ｏｆ  ＲＲＣ  Ｃｏｎｎｅｃｔｉｏｎ  Ｓｅｔｕｐ"の詳細については、同業者によって既知の内容であり、本発明とは関係ないので、その説明は省略する。【００８５】
図１２は本発明の実施形態２によるＲＲＣ  Ｃｏｎｎｅｃｔｉｏｎ  Ｒｅｑｕｅｓｔ時のＵＥチェックリストを利用したセル選択アルゴリズムを示すフローチャートである。これら図１と図３と図５と図９と図１２とを参照して本発明の実施形態２によるＲＲＣ  Ｃｏｎｎｅｃｔｉｏｎ  Ｒｅｑｕｅｓｔ時のＵＥチェックリストを利用したセル選択アルゴリズムについて説明する。【００８６】
尚、図１２には、ＵＥチェックリスト＃２が使用される仕組みとして、ＲＲＣ  Ｃｏｎｎｅｃｔｉｏｎ  Ｒｅｑｕｅｓｔメッセージ受信時のセル選択アルゴリズムにおいて、過去に一度無線接続に失敗したセルをそのタイムスタンプから一定期間、ＲＮＣ１がＵＥの隣接セル候補から除外してセル選択アルゴリズムが行われる動作について示している。【００８７】
図１２のステップ１５１にて、ＲＮＣ１は、ＵＥからＲＲＣ  Ｃｏｎｎｅｃｔｉｏｎ  Ｒｅｑｕｅｓｔメッセージを受信すると、ステップ１５２にて、セル情報１３、ＵＥ情報の管理、ＵＥ情報処理部１２により得られる情報を利用し、セル選択処理部１１において、セル選択アルゴリズムを行う。【００８８】
ステップ１５３にて、まず、ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じかを判定する。ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと同じ場合、ステップ１５８の通常のＲＲＣ  Ｃｏｎｎｅｃｔｉｏｎ  Ｓｅｔｕｐ手順へ進む。【００８９】
ＲＮＣ１は、セル選択アルゴリズムにおいて選択されたセルが、ＵＥが最初にＲＲＣ  Ｃｏｎｎｅｃｔｉｏｎ  Ｒｅｑｕｅｓｔメッセージを送信してきたセルと異なる場合、ステップ１５４にて、ＵＥチェックリスト＃２において、同じＵＥが登録されていないかを判定する。ＲＮＣ１は、同じＵＥが登録されていない場合、ステップ１５８の通常のＲＲＣ  Ｃｏｎｎｅｃｔｉｏｎ  Ｓｅｔｕｐ手順へ進む。【００９０】
ＲＮＣ１は、同じＵＥが登録されている場合、ステップ１５５にて、セル選択アルゴリズムにおいて選択されたセルが、ＵＥチェックリストの無線接続失敗したセルと異なるかを判定する。ＲＮＣ１は、セル選択アルゴリズムにおいて選択されたセルが、ＵＥチェックリストの無線接続失敗したセルと異なる場合、ステップ１５８の通常のＲＲＣ  Ｃｏｎｎｅｃｔｉｏｎ  Ｓｅｔｕｐ手順へ進む。【００９１】
ＲＮＣ１は、セル選択アルゴリズムにおいて選択されたセルが、ＵＥチェックリストの無線接続失敗したセルと同じ場合、ステップ１５６にて、そのセルのタイムスタンプがＵＥチェックリストに保持された情報の有効時間を越えているかを判定する。ＲＮＣ１は、有効時間を越えている場合、ステップ１５８の通常のＲＲＣ  Ｃｏｎｎｅｃｔｉｏｎ  Ｓｅｔｕｐ手順へ進む。【００９２】
ＲＮＣ１は、有効時間を超えていない場合、そのセルがセル選択アルゴリズムの結果としてはふさわしくないと判断し、ステップ１５７にて、そのセルをそのＵＥの近隣セル候補より除外し、ステップ１５２の処理へ移動する。【００９３】
このようにして、本実施の形態では、セル選択アルゴリズムにおいて、過去に一度無線接続に失敗したセルをそのセルに対するタイムスタンプから一定期間、ＲＮＣ１がＵＥの隣接セル候補から除外してセル選択アルゴリズムが行われる方法が実現される。【００９４】
このように、本実施形態では、過去に一度無線接続に失敗したセルのタイムスタンプをＵＥ毎にかつセル毎に保持しているので、セル単位に古い情報による無線接続失敗したセルであるか新しい情報による古い情報による無線接続失敗したセルであるか判定して除外して、既存のセル選択アルゴリズムの利点を生かすことができる。【００９５】
図１３は本発明の実施形態３によるＲＮＣの構成例を示すブロック図である。図１３において、本発明の実施形態３によるＲＮＣ１ａは、システム単位のＵＥチェックリスト１５の代わりに、ＵＥ情報１４ａ内にＵＥ単位のＵＥチェックリスト１４１を設けた以外は図３に示す本発明の実施形態１同様の構成となっており、同一構成要素には同一符号を付してある。尚、本発明の実施形態３による移動体通信システムは、図１に示す本発明の実施形態３による移動体通信システムと同様の構成となっている。【００９６】
本発明の実施形態３では、パケットサービスを共通チャネルで接続中のＵＥが、ＵＥからのトラフィック増加報告受信もしくはＲＮＣ１ａ内部の転送バッファ増加検出による、共通チャネルから個別チャネルへのチャネルタイプ変更［ＣＴＳ  ＦＡＣＨ（Ｆｏｒｗａｒｄ  Ａｃｃｅｓｓ  Ｃｈａｎｎｅｌ）  ｔｏ  ＤＣＨ（Ｄｅｄｉｃａｔｅｄ  Ｃｈａｎｎｅｌ）］時のセル選択アルゴリズムにおける、過去に一度無線接続に失敗したセルの除外方法についてもさらに工夫している。【００９７】
ＲＮＣ１ａは、共通チャネルに存在するＵＥの情報を保持するため、該当するＵＥの一度無線接続に失敗したセルのリストと無線接続が失敗した時のタイムスタンプがＵＥ情報１４ａの一部として保持される。【００９８】
図１４は図１３に示すＵＥ単位のＵＥチェックリスト１４１の詳細な構成を示す図である。図１４において、ＵＥ単位のＵＥチェックリスト１４１には、このＵＥが一度無線接続に失敗したセルのリストと、そのＵＥの接続要求時のタイムスタンプとが保持されている。【００９９】
図１４に示す例では、Ｔｉｍｅ：００１４５においてセルＩＤ＃１０が、Ｔｉｍｅ：００１５０においてセルＩＤ＃１１がそれぞれ一度無線接続に失敗したセルとして登録されている。【０１００】
図１５は本発明の実施形態３によるＣＴＳ時のＵＥチェックリストの登録処理を示すフローチャートである。これら図１と図５と図１３〜１５とを参照して本発明の実施形態３によるＣＴＳ時のＵＥチェックリストの登録処理について説明する。【０１０１】
尚、図１５は、ＵＥ単位のＵＥチェックリスト１４１において、パケットサービスを共通チャネルで接続中のＵＥが、ＵＥからのトラフィック増加報告受信もしくはＲＮＣ１ａ内部の転送バッファ増加検出による、共通チャネルから個別チャネルへのチャネルタイプ変更（ＣＴＳ  ＦＡＣＨ  ｔｏ  ＤＣＨ）時のセル選択アルゴリズムの後、無線接続失敗してＵＥチェックリスト１４１に無線接続失敗したセルが登録される時の動作について示している。【０１０２】
図１５のステップ１６１にて、ＲＮＣ１ａは、ＵＥからのトラフィック増加報告受信もしくはＲＮＣ１ａ内部の転送バッファ増加検出が発生すると、ステップ１６２にて、セル情報１３、ＵＥ情報１４ａの管理、ＵＥ情報処理部１２より得られる情報を利用して、セル選択処理部１１において、セル選択アルゴリズムを行う。【０１０３】
ステップ１６３にて、ＲＮＣ１ａは、選択されたセルに対してトランスポートチャネル再設定手順（ＲＲＣ：Ｔｒａｎｓｐｏｒｔ  Ｃｈａｎｎｅｌ  Ｒｅｃｏｎｆｉｇｕｒａｔｉｏｎ）を送信する。その後に、ステップ１６４にて、ＲＮＣ１ａは、トランスポートチャネル再設定手順完了（ＲＲＣ：Ｔｒａｎｓｐｏｒｔ  Ｃｈａｎｎｅｌ  Ｒｅｃｏｎｆｉｇｕｒａｔｉｏｎ  Ｃｏｍｐｌｅｔｅ）を受信したかどうかを判定する。【０１０４】
ＲＮＣ１ａは、トランスポートチャネル再設定手順完了（ＲＲＣ：Ｔｒａｎｓｐｏｒｔ  Ｃｈａｎｎｅｌ  Ｒｅｃｏｎｆｉｇｕｒａｔｉｏｎ  Ｃｏｍｐｌｅｔｅ）を受信した場合、ステップ１６５にて、既存処理の通り、無線接続完了となる。【０１０５】
ＲＮＣ１ａは、トランスポートチャネル再設定手順失敗（ＲＲＣ：Ｔｒａｎｓｐｏｒｔ  Ｃｈａｎｎｅｌ  Ｒｅｃｏｎｆｉｇｕｒａｔｉｏｎ  Ｆａｉｌｕｒｅ）を物理チャネル失敗という理由（Ｃａｕｓｅ：ｐｈｙｓｉｃａｌ  ｃｈａｎｎｅｌ  ｆａｉｌｕｒｅ）にて受信した場合、無線接続に失敗とし、ステップ１６６にて、セル選択アルゴリズムにおいて選択されたセルが、ＵＥがＦＡＣＨ状態で存在していたセルと同じかどうかを判定する。【０１０６】
ＲＮＣ１ａは、セル選択アルゴリズムにおいて選択されたセルが、ＵＥがＦＡＣＨ状態で存在していたセルと同じ場合、ＵＥチェックリスト１４１への登録を行わないで、処理を終了する。【０１０７】
ＲＮＣ１ａは、セル選択アルゴリズムにおいて選択されたセルが、ＵＥがＦＡＣＨ状態で存在していたセルと異なる場合、ステップ１６７にて、ＵＥチェックリスト１４１において既に無線接続失敗したセルが登録されているかどうかを判定する。【０１０８】
ＲＮＣ１ａは、ＵＥチェックリスト１４１において既に無線接続失敗したセルが登録されている場合、ステップ１６８にて、無線接続失敗したセルのタイムスタンプのみを更新する。【０１０９】
ＲＮＣ１ａは、ＵＥチェックリスト１４１において既に無線接続失敗したセルが登録されていない場合、ステップ１６９にて、ＵＥチェックリスト１４１において無線接続失敗したセルが全て埋まっているかどうかを判定する。【０１１０】
ＲＮＣ１ａは、ＵＥチェックリスト１４１において無線接続失敗したセルが全て埋まっている場合、ステップ１７０にて、そのＵＥの最も古いデータ（無線接続失敗セルとタイムスタンプ）をそのＵＥの新しいデータ（無線接続失敗セルとそのセルのタイムスタンプ）で上書きする。【０１１１】
ＲＮＣ１ａは、ＵＥチェックリスト１４１において無線接続失敗したセルが全て埋まっていない場合、ステップ１７１にて、そのＵＥのデータ（無線接続失敗セルとタイムスタンプ）を登録する。【０１１２】
図１６は本発明の実施形態３によるＣＴＳ時のＵＥチェックリストを利用したセル選択アルゴリズムを示すフローチャートである。これら図１と図５と図１３と図１４と図１６とを参照して本発明の実施形態３によるＣＴＳ時のＵＥチェックリストを利用したセル選択アルゴリズムについて説明する。【０１１３】
尚、図１６は、ＵＥチェックリスト１４１が使用される仕組みとして、ＵＥからのトラフィック増加報告受信もしくはＲＮＣ１ａ内部の転送バッファ増加検出におけるセル選択アルゴリズムにおいて、過去に一度無線接続に失敗したセルをそのタイムスタンプから一定期間、ＲＮＣ１ａがＵＥの隣接セル候補から除外してセル選択アルゴリズムが行われる動作について示している。【０１１４】
図１６のステップ１８１にて、ＲＮＣ１ａは、ＵＥからのトラフィック増加報告受信もしくはＲＮＣ内部の転送バッファ増加検出が発生すると、ステップ１８２にて、セル情報１３、ＵＥ情報１４ａの管理、ＵＥ情報処理部１２より得た情報を利用して、セル選択処理部１１においてセル選択アルゴリズムを行う。【０１１５】
ステップ１８３にて、ＲＮＣ１ａは、セル選択アルゴリズムにおいて選択されたセルが、ＵＥがＦＡＣＨ状態で存在していたセルと同じかどうかを判定する。【０１１６】
ＲＮＣ１ａは、セル選択アルゴリズムにおいて選択されたセルが、ＵＥがＦＡＣＨ状態で存在していたセルと同じ場合、ステップ１８７の通常のトランスポートチャネル再設定手順（ＲＲＣ：Ｔｒａｎｓｐｏｒｔ  Ｃｈａｎｎｅｌ  Ｒｅｃｏｎｆｉｇｕｒａｔｉｏｎ）へ進む。【０１１７】
ＲＮＣ１ａは、セル選択アルゴリズムにおいて選択されたセルが、ＵＥがＦＡＣＨ状態で存在していたセルと異なる場合、ステップ１８４にて、セル選択アルゴリズムにおいて選択されたセルが、ＵＥチェックリスト１４１の無線接続失敗したセルと異なるかどうかを判定する。【０１１８】
ＲＮＣ１ａは、セル選択アルゴリズムにおいて選択されたセルが、ＵＥチェックリスト１４１の無線接続失敗したセルと異なる場合、ステップ１８７の通常のトランスポートチャネル再設定手順（ＲＲＣ：Ｔｒａｎｓｐｏｒｔ  Ｃｈａｎｎｅｌ  Ｒｅｃｏｎｆｉｇｕｒａｔｉｏｎ）へ進む。【０１１９】
ＲＮＣ１ａは、セル選択アルゴリズムにおいて選択されたセルが、ＵＥチェックリスト１４１の無線接続失敗したセルと同じ場合、ステップ１８５にて、そのセルのタイムスタンプがＵＥチェックリスト１４１に保持された情報の有効時間を越えているかどうかを判定する。【０１２０】
ＲＮＣ１ａは、そのセルのタイムスタンプがＵＥチェックリスト１４１に保持された情報の有効時間を越えている場合、ステップ１８７の通常のトランスポートチャネル再設定手順（ＲＲＣ：Ｔｒａｎｓｐｏｒｔ  Ｃｈａｎｎｅｌ  Ｒｅｃｏｎｆｉｇｕｒａｔｉｏｎ）へ進む。【０１２１】
ＲＮＣ１ａは、そのセルのタイムスタンプがＵＥチェックリスト１４１に保持された情報の有効時間を超えていない場合、そのセルがセル選択アルゴリズムの結果としてはふさわしくないと判断し、ステップ１８６にて、そのセルをそのＵＥの近隣セル候補より除外して、ステップ１８２の処理へ移動する。【０１２２】
このようにして、本実施の形態では、ＲＮＣ１ａのセル選択アルゴリズムにおいて、過去に一度無線接続に失敗したセルをそのセルに対するタイムスタンプから一定期間、ＲＮＣ１ａがＵＥの隣接セル候補から除外してセル選択アルゴリズムが行われる方法が実現される。【０１２３】
このように、本実施形態では、ＵＥからのトラフィック増加報告受信もしくはＲＮＣ１ａ内部の転送バッファ増加検出においても、過去に一度無線接続に失敗したセルを近隣セル候補から除外しているので、ＵＥからのトラフィック増加報告の周期受信もしくはＲＮＣ１ａ内部の転送バッファ増加の周期検出において、無線接続可能なセルを選択することができ、既存のセル選択アルゴリズムの利点を生かしつつ、呼接続完了率が著しい低下するのを回避することができる。【０１２４】
また、本実施形態では、過去に一度無線接続に失敗したセルのタイムスタンプをセル毎に保持しているので、セル単位に古い情報による無線接続失敗したセルであるか新しい情報による古い情報による無線接続失敗したセルであるかを判定して除外し、既存のセル選択アルゴリズムの利点を生かすことができる。【０１２５】
上記のように、本発明では、セル選択アルゴリズムにおいて選択したセルに対し、無線接続に失敗した場合にそのセルを一定期間保持すること、そしてＵＥからのＲＲＣ  Ｃｏｎｎｅｃｔｉｏｎ  Ｒｅｑｕｅｓｔ再送や、ＵＥからのトラフィック増加報告周期受信もしくはＲＮＣ１，１ａ内部の転送バッファ増加周期検出におけるセル選択アルゴリズムにおいて、過去に無線接続に一度失敗したセルであるかどうかをＲＮＣ１，１ａが判定し、そのセルを除外してセル選択アルゴリズムを行うことによって、本発明に関連するセル選択アルゴリズムを生かしつつ、呼接続完了率の低下を回避することができる。【０１２６】
すなわち、本発明では、ＲＮＣ１，１ａがセル選択アルゴリズムを実施する際、ＵＥがキャンプオンしたセルと異なるセルを割り当てる場合、一度ＵＥからの応答がなかったセルを一定期間保持し、次のセル選択アルゴリズムよりそのＵＥの隣接セル候補から除外する。これによって、本発明では、ＵＥが無線接続要求（ＲＲＣ  Ｃｏｎｎｅｃｔｉｏｎ  Ｒｅｑｕｅｓｔ）メッセージを再送してきた場合に別のセルが選択されて、呼接続完了率の低下を回避することができる。【０１２７】
本発明では、ＩＭＴ２０００システムアーキテクチャにおいて、ＲＮＣ１，１ａが、同一アンテナにおいて周波数の異なる複数のセルを制御し、無線接続要求のあるＵＥにセル選択アルゴリズムを行う。また、本発明では、ＵＥチェックリストにおいて、ＲＮＣ１，１ａが、無線接続が失敗したセルとＵＥからの接続要求のタイムスタンプとをＵＥ毎に保持する。【０１２８】
つまり、本発明では、ＲＮＣ１，１ａのセル選択アルゴリズムによって、ＵＥが無線接続要求（ＲＲＣ  Ｃｏｎｎｅｃｔｉｏｎ  Ｒｅｑｕｅｓｔ）メッセージを送信してきたセルと異なるセルをＲＮＣ１，１ａが選択し、無線接続設定（ＲＲＣ  Ｃｏｎｎｅｃｔｉｏｎ  Ｓｅｔｕｐ）メッセージ送信を行う場合で、ＵＥからの無線接続応答（ＲＲＣ  Ｃｏｎｎｅｃｔｉｏｎ  Ｓｅｔｕｐ  Ｃｏｍｐｌｅｔｅ）を受信しなかった場合、ＲＮＣ１，１ａの内部メモリにあるＵＥチェックリストに、無線接続が失敗したセルとＵＥからの接続要求のタイムスタンプとを保持する。【０１２９】
また、本発明では、ＵＥが無線接続要求（ＲＲＣ  Ｃｏｎｎｅｃｔｉｏｎ  Ｒｅｑｕｅｓｔ）メッセージを送信する場合、セル選択アルゴリズムにおいて現在と異なるセルをＲＮＣ１，１ａが選択する場合、そのＵＥがＵＥチェックリストに存在するかどうか確認し、過去に一度無線接続に失敗したセルをそのタイムスタンプから一定期間、ＲＮＣ１，１ａがＵＥの隣接セル候補から除外してセル選択アルゴリズムを行っている。【０１３０】
このようにして、本発明では、下記の契機にてＲＮＣ１，１ａが行うＵＥとの無線接続において、無線接続に失敗したセルをＵＥチェックリストに一定期間保持し、セル選択アルゴリズムにおいて、そのＵＥがＵＥチェックリストに存在する場合に、過去に一度無線接続に失敗したセルをそのタイムスタンプから一定期間、ＵＥの隣接セル候補から除外してセル選択アルゴリズムを行う。これによって、本発明では、既存のセル選択アルゴリズムの利点を生かしつつ、呼接続完了率が著しい低下を回避することができる。【０１３１】
尚、ＲＮＣ１，１ａがＵＥとの無線接続を行う契機は、
１．最初の無線接続要求（ＲＲＣ  Ｃｏｎｎｅｃｔｉｏｎ  Ｒｅｑｕｅｓｔ）メッセージ受信時
２．パケットサービスを共通チャネルで接続中に、ＵＥからのトラフィック増加報告受信もしくはＲＮＣ１，１ａ内部の転送バッファ増加検出による、共通チャネルから個別チャネルへのチャネルタイプ変更（ＣＴＳ  ＦＡＣＨ  ｔｏ  ＤＣＨ）時である。【０１３２】
本発明は、同一アンテナにおいて周波数の異なる様々な種類のセルが複数存在するＩＭＴ２０００システムアーキテクチャにおいて、最初の無線接続要求（ＲＲＣ  Ｃｏｎｎｅｃｔｉｏｎ  Ｒｅｑｕｅｓｔ）メッセージ受信時、もしくはパケットサービスを共通チャネルで接続中にＵＥからのトラフィック増加報告受信もしくはＲＮＣ内部の転送バッファ増加検出による共通チャネルから個別チャネルへのチャネルタイプ変更（ＣＴＳ  ＦＡＣＨ  ｔｏ  ＤＣＨ）時、ＲＮＣがセル選択アルゴリズムを行う上で、セル間のトラフィックのバランスが悪く、セルブリージング現象が発生している場合に、呼接続完了率の低下を回避するために適用される。【０１３３】
以上、実施形態１〜３を参照して本発明を説明したが、本発明は上記実施形態１〜３に限定されるものではない。本発明の構成や詳細には、本発明の要旨を逸脱しない範囲で当業者が理解し得る各種の変形が可能である。【０１３４】
この出願は、２００７年１１月１４日に出願された日本出願特願２００７−２９５００２を基礎とする優先権を主張し、その開示のすべてをここに取り込む。
【図１】
2009063675.tif 000003
【図２】
2009063675.tif 000004
【図３】
2009063675.tif 000005
【図４】
2009063675.tif 000006
【図５】
2009063675.tif 000007
【図６】
2009063675.tif 000008
【図７】
2009063675.tif 000009
【図８】
2009063675.tif 000010
【図９】
2009063675.tif 000011
【図１０】
2009063675.tif 000012
【図１１】
2009063675.tif 000013
【図１２】
2009063675.tif 000014
【図１３】
2009063675.tif 000015
【図１４】
2009063675.tif 000016
【図１５】
2009063675.tif 000017
【図１６】
2009063675.tif 000018
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
移動端末に無線基地局を通して接続する無線基地制御局において、
前記無線基地局配下のセルを前記移動端末に割り当てるセル選択アルゴリズムにしたがって選択したセルに対して無線接続に失敗した場合に該セルの情報を一定期間保持する保持手段と、
前記の保持されたセルの情報を基に過去に無線接続に一度失敗したセルを除外して前記セル選択アルゴリズムを実施する実施手段と、
を有することを特徴とする無線基地制御局。
【請求項２】
前記保持手段は、前記セル選択アルゴリズムを実施する際に前記移動端末がキャンプオンしたセルと異なるセルを割り当てる場合、前記移動端末からの応答がなかったセルの情報を一定期間保持し、
前記実施手段は、前記セルを前記移動端末の隣接セル候補から除外して前記セル選択アルゴリズムを実施する、
ことを特徴とする、請求項１記載の無線基地制御局。
【請求項３】
前記保持手段は、前記無線接続が失敗したセルと前記移動端末からの接続要求のタイムスタンプとをシステム単位で保持することを特徴とする、請求項１または請求項２記載の無線基地制御局。
【請求項４】
前記保持手段は、前記無線接続が失敗したセルと前記移動端末からの接続要求のタイムスタンプとを前記移動端末毎に保持することを特徴とする、請求項１または請求項２記載の無線基地制御局。
【請求項５】
前記実施手段は、過去に一度無線接続に失敗したセルを、該セルの前記タイムスタンプから一定期間、前記移動端末の隣接セル候補から除外して前記セル選択アルゴリズムを実施することを特徴とする、請求項３または請求項４記載の無線基地制御局。
【請求項６】
移動端末に無線基地局を通して接続する無線基地制御局において用いられる呼接続完了低下回避方法であって、
前記無線基地局配下のセルを前記移動端末に割り当てるセル選択アルゴリズムにしたがって選択したセルに対して無線接続に失敗した場合に該セルの情報を保持手段に一定期間保持する第１の処理と、
前記の保持されたセルの情報を基に過去に無線接続に一度失敗したセルを除外して前記セル選択アルゴリズムを実施手段にて実施する第２の処理と、
を有する呼接続完了低下回避方法。
【請求項７】
前記第１の処理において、前記セル選択アルゴリズムを実施する際に前記移動端末がキャンプオンしたセルと異なるセルを割り当てる場合、前記移動端末からの応答がなかったセルの情報を前記保持手段に一定期間保持し、
前記第２の処理において、前記セルを前記移動端末の隣接セル候補から除外して前記セル選択アルゴリズムを前記実施手段に実施させる、
ことを特徴とする、請求項６記載の呼接続完了低下回避方法。
【請求項８】
前記第１の処理において、前記無線接続が失敗したセルと前記移動端末からの接続要求のタイムスタンプとをシステム単位で前記保持手段に保持することを特徴とする、請求項６または請求項７記載の呼接続完了低下回避方法。
【請求項９】
前記第１の処理において、前記無線接続が失敗したセルと前記移動端末からの接続要求のタイムスタンプとを前記移動端末毎に前記保持手段に保持することを特徴とする、請求項６または請求項７記載の呼接続完了低下回避方法。
【請求項１０】
前記第２の処理において、過去に一度無線接続に失敗したセルを、該セルの前記タイムスタンプから一定期間、前記移動端末の隣接セル候補から除外して前記セル選択アルゴリズムを前記実施手段に実施させることを特徴とする、請求項８または請求項９記載の呼接続完了低下回避方法。
【国際調査報告】
2009063675.tif 000019
2009063675.tif 000020